(57)【特許請求の範囲】
【請求項１】
独立可搬な複数のＬＥＤモジュールと、
長尺状の筒構造をし、少なくとも一端から挿抜自在に内部に長手方向に沿って順次挿入された前記複数のＬＥＤモジュールのそれぞれを保持するホルダと、
前記ホルダを格納するグローブと
を備え、
前記ホルダは、透光性材料により構成され、断面形状が２ｎ角形（ｎは２以上の整数）の筒体であり、
前記ＬＥＤモジュールの幅が、前記筒体の互いに対向する一対の内面間距離に適合し、
前記複数のＬＥＤモジュールを前記ホルダの長尺方向から見たときに複数のＬＥＤモジュールから出射される光の出射方向が複数となるように、前記複数のＬＥＤモジュールのそれぞれが、幅方向の両側面を前記筒体の異なる対向内面に接する状態で、前記筒体内に挿入されることで保持されている
ことを特徴するＬＥＤランプ。
【請求項２】
前記ＬＥＤモジュールは、箱状のモジュール本体の表面と裏面とにＬＥＤを実装する構成である
ことを特徴とする請求項１に記載のＬＥＤランプ。
【請求項３】
前記ＬＥＤモジュールは、箱状のモジュール本体の表面と裏面との少なくとも一方の面にＬＥＤを実装する構成である
ことを特徴とする請求項１に記載のＬＥＤランプ。
【請求項４】
前記ｎは３以上の整数であり、
前記筒体内で隣り合うＬＥＤモジュールは、その幅方向の両側面を異なった対向内面に接するように挿入されている
ことを特徴とする請求項１〜３の何れか１項に記載のＬＥＤランプ。
【請求項５】
ＬＥＤランプを光源として利用する照明装置であって、
当該ＬＥＤランプが請求項１〜４の何れか１項に記載のＬＥＤランプである
ことを特徴とする照明装置。
【発明の詳細な説明】
【技術分野】
【０００１】
本発明は、ＬＥＤをガラス管内に備えるＬＥＤランプ及び当該ＬＥＤランプを利用する照明装置に関する。
【背景技術】
【０００２】
半導体発光素子の一種であるＬＥＤは、従来の光源である白熱電球や蛍光灯に比べて高効率であるため省エネルギー光源として注目され、近年、ＬＥＤを利用したＬＥＤランプが開発されている（特許文献１〜３）。
【０００３】
このようなＬＥＤランプとして、直管状の蛍光灯器具に装着できるＬＥＤランプがある（特許文献４参照）。この特許文献４に記載のＬＥＤランプ（１０）は、複数のＬＥＤ（３）と、当該複数のＬＥＤ（３）を実装する実装基板（２）と、複数のＬＥＤ（３）を実装している実装基板（２）を格納するガラス管（筒体１）と、当該ガラス管（１）の両端に装着された口金（６）等を備える。
【先行技術文献】
【特許文献】
【０００４】
【特許文献１】特開２００９−１７０１８６号公報
【特許文献２】特開２００９−２６６４３２号公報
【特許文献３】特開２００９−１０５３５４号公報
【特許文献４】特開２００９−４３４４７号公報
【発明の概要】
【発明が解決しようとする課題】
【０００５】
しかしながら、特許文献４に記載の技術では、ＬＥＤランプとして組立てが完了した後に不点灯のＬＥＤがあった場合に、すでに実装されているＬＥＤ（３）をガラス管（１）から取り出すことが困難であり、正常なＬＥＤ（３）や実装基板（２）の再利用も困難である。
【０００６】
本発明は、ＬＥＤランプ組立て後もＬＥＤの交換を行うことができ、また正常な部品の再利用も可能なＬＥＤランプ等を提供することを目的とする。
【課題を解決するための手段】
【０００７】
上記目的を達成するために、本発明に係るＬＥＤランプは、独立可搬な複数のＬＥＤモジュールと、長尺状の筒構造をし、少なくとも一端から挿抜自在に内部に挿入された前記複数のＬＥＤモジュールを保持するホルダと、前記ホルダを格納するグローブとを備え、前記ホルダは透光性材料により構成され、前記ＬＥＤモジュールを保持するホルダを当該ホルダの長尺方向から見たときに、複数のＬＥＤモジュールから出射される光の出射方向が複数あることを特徴している。
【０００８】
ここでいう「長尺状の筒構造」とは、ホルダの中心軸に沿った寸法（長さ）が中心軸と直交する方向の寸法（幅）より長い筒構造をいい、中心軸が直線でも良く、曲線でも良い。
【０００９】
また、本明細書に記載のＬＥＤランプは、独立可搬な複数のＬＥＤモジュールと、長尺構造で、前記各ＬＥＤモジュールを少なくとも一端から挿抜自在であって長尺方向に配列する状態で保持すると共に保持状態にある各ＬＥＤモジュールの光出射方向前方には遮光部材が存在しない構造のホルダと、前記各ＬＥＤモジュールを覆うように前記ホルダに装着されたグローブとを備えることを特徴としている。
【００１０】
ここでいう「長尺構造」とは、ホルダの中心軸に沿った寸法（長さ）が中心軸と直交する方向の寸法（幅）より長い構造をいい、中心軸が直線でも良く、曲線でも良い。また、遮光部材は、ＬＥＤモジュールからの光を透過できる部材を含んではおらず、例えば、ガラス管、透光性セラミック管等は遮光部材ではない。
【発明の効果】
【００１１】
本発明に係るＬＥＤランプはＬＥＤモジュールをホルダから、そしてグローブから取り出す（結果的に取り外す）ことができる。このため、例えば、ランプとして完成後に、ＬＥＤモジュールが不点となっても、ＬＥＤモジュールを正常なものと交換することができ、これにより異常なＬＥＤモジュール以外の部品・部材（例えば正常なＬＥＤモジュール、ホルダ、グローブである。）を再利用することも可能となる。
【００１２】
また、前記ホルダは、断面形状が２ｎ角形（ｎは整数）の筒体であり、前記ＬＥＤモジュールの幅が、前記筒体の互いに対向する一対の内面間距離に適合し、前記複数のＬＥＤモジュールのそれぞれは、幅方向の両側面を前記筒体の対向内面に接する状態で、前記筒体内に挿入されていることを特徴とし、或いは、前記ＬＥＤモジュールは、箱状のモジュール本体の表面と裏面とにＬＥＤを実装する構成であることを特徴としている。
【００１３】
また、前記ｎは３以上の整数であり、前記筒体内で隣り合うＬＥＤモジュールは、その幅方向の両側面を異なった対向内面に接するように挿入されていることを特徴とし、或いは、前記ＬＥＤモジュールは、箱状のモジュール本体の表面と裏面との少なくとも一方の面にＬＥＤを実装する構成であることを特徴としている。
【００１４】
本明細書に記載のＬＥＤランプはＬＥＤモジュールをホルダから、そしてガラス管から取り出す（結果的に取り外す）ことができる。このため、例えば、ランプとして完成後に、ＬＥＤモジュールが不点となっても、ＬＥＤモジュールを正常なものと交換することができ、これにより異常なＬＥＤモジュール以外の部品・部材（例えば正常なＬＥＤモジュール、ホルダ、ガラス管である。）を再利用することも可能となる。
【００１５】
また、前記グローブは直管状のガラス管であり、前記ガラス管は、前記ホルダが内部に挿通された状態で装着されていることを特徴とし、或いは、前記ホルダは横断面形状Ｃ字型をしたレールであり、前記複数個のＬＥＤモジュールは、前記光出射領域をＣ字型のスリットに対応させた状態で、Ｃ字型レール内に挿入されていることを特徴している。
【００１６】
また、前記ホルダは、横断面形状は略長方形状をし、一方の長辺の略中央が開口したＣ字型であり、前記グローブは、横断面形状がＣ字型をし、当該Ｃ字型の開口に前記ホルダが嵌る状態で装着されていることを特徴し、或いは、前記ＬＥＤモジュールは基板表面にＬＥＤを実装する構成であり、基板の肩部には受電端子が露出形成されており、前記Ｃ字型レールの内部であって、各ＬＥＤモジュールがＣ字型レール内に配列された状態で前記受電端子と対応する内周面部位に給電路が長尺方向に連続して形成されていることを特徴としている。さらに、前記Ｃ字型レール内に各ＬＥＤモジュールを配列した状態で、隣り合うＬＥＤモジュール間には、ＬＥＤモジュールの間隔を調整するスペーサ部材が介挿されていることを特徴している。
【００１７】
また、前記ホルダは、透光性を有する断面形状が２ｎ角形（ｎは整数）の筒体であり、前記ＬＥＤモジュールの幅が、前記筒体の互いに対向する一対の内面間距離に適合し、各ＬＥＤモジュールは、幅方向の両側面を前記筒体の対向内面に接する状態で、前記筒体内に挿入されていることを特徴とし、前記ｎは３以上の整数であり、前記筒体内で隣り合うＬＥＤモジュールは、その幅方向の両側面を異なった対向内面に接するように挿入されていることを特徴としている。
【００１８】
一方、本発明に係るＬＥＤランプは、ＬＥＤランプを光源として利用する照明装置であって、当該ＬＥＤランプが上記のＬＥＤランプであることを特徴とする。
【図面の簡単な説明】
【００１９】
【図１】実施の形態に係るＬＥＤランプの斜視図であり、内部の様子が分かるようにガラス管の一部を切り欠いている。
【図２】ＬＥＤランプの中央部の横断面図である。
【図３】図２の矢印Ａ方向からＬＥＤランプを見た図である。
【図４】ＬＥＤモジュールを実装するホルダの斜視図である。
【図５】ＬＥＤモジュールを実装するホルダの端部の斜視図である。
【図６】ＬＥＤランプの端部を拡大した断面図である。
【図７】ＬＥＤランプに係る回路図である。
【図８】第２の実施の形態に係るＬＥＤランプの内部構造を説明するための斜視図である。
【図９】第３の実施の形態に係るＬＥＤランプの構造を説明するための斜視図である。
【図１０】第３の実施の形態に係るＬＥＤモジュールの構造を説明するための斜視図である。
【図１１】ＬＥＤランプの一端側の断面拡大図である。
【図１２】第３の実施の形態に係る変形例を示す図である。
【図１３】第３の実施の形態に係る別の変形例を示す図である。
【図１４】ホルダの横断面形状の変形例１を示す図である。
【図１５】ガラス管を用いた変形例２に係るホルダの装着方法を説明する図である。
【図１６】変形例３に係るＬＥＤランプの断面斜視図である。
【図１７】ＬＥＤランプの中央部の横断面図である。
【図１８】グローブの形状についての変形例を示す図である。
【図１９】変形例４の例１に係るＬＥＤランプの半分での断面斜視図である。
【図２０】変形例４の例１に係るＬＥＤランプの一部平面図である。
【図２１】変形例４の例２に係るＬＥＤランプの断面斜視図である。
【図２２】ＬＥＤモジュールの斜視図である。
【図２３】ＬＥＤモジュールの電気的接続を説明する概略図である。
【図２４】ＬＥＤランプを光源とした照明装置の概略図である。
【図２５】ＬＥＤを光源とした照明装置を示す断面図である。
【発明を実施するための形態】
【００２０】
以下、本発明のＬＥＤランプの一例である実施の形態について図面を参照しながら説明する。
また、発明の実施の形態や変形例で使用している、材料、形状等は好ましい例を例示しているだけであり、この例に限定されることはない。また、本発明の技術的思想の範囲を逸脱しない範囲で、適宜変更は可能である。また、他の実施の形態や他の変形例との組み合わせは、矛盾が生じない範囲で可能である。
＜第１の実施の形態＞
１．構成
図１は、実施の形態に係るＬＥＤランプの斜視図であり、内部の様子が分かるようにガラス管の一部を切り欠いている。図２は、ＬＥＤランプの中央部の横断面図であり、図３は、図２の矢印Ａ方向からＬＥＤランプを見た図である。
【００２１】
ＬＥＤランプ１は、直管状の蛍光灯用の蛍光灯器具に装着されるタイプである。
ＬＥＤランプ１は、ホルダとしての長尺状のガラス管３と、前記ガラス管３内に配されるホルダ５と、前記ホルダ５に保持された複数のＬＥＤモジュール７と、前記ホルダ５を前記ガラス管３に接触状態で接合（固着）する接着剤９（図２参照）と、前記ガラス管３の両端に装着された口金１１と、前記口金１１を介して給電を受けて前記ＬＥＤモジュール７を発光（点灯）させる点灯回路１３（図５及び図７参照）とを備える。
【００２２】
ガラス管３は、直管であり、例えば、その横断面形状が円環状をしている（図２参照）。ガラス管３は、外周面又は内周面が拡散処理されていても良いし、当然されていなくても良い。なお、このガラス管３には、直管状の既存の蛍光灯で利用されているガラス管（例えば、ソーダガラスである。）により構成することもできる。
【００２３】
図４は、ＬＥＤモジュールを実装するホルダの斜視図である。
ホルダ５は、長尺状のガラス管３に対応して長尺構造をしている。ホルダ５は、図２及び図４に示すように、長手方向に延伸する溝１５を有する、つまり横断面形状がＣ字型をしたレール部材（「Ｃ字型レール」ともいう。）１７により構成され、レール部材１７の内部にＬＥＤモジュール７がレール部材１７の両端開口から順次挿入される。
【００２４】
なお、ここでは、ＬＥＤモジュール７から発せられる光は前記溝１５を通ってホルダ５の外部へと出射され、この光を遮光する遮光部材はない。
レール部材１７は、ここでは、横断面形状が横長の矩形状をし、一対の長辺の一方に相当する壁に溝１５を有する。つまり、横断面形状は開口が上にあるＣ字型をしている。なお、本実施の形態のように、矩形状の一部が開口しその隅が角張っているような形状もＣ字型に含まれるものとする。
【００２５】
長辺に相当する壁のうち、溝１５が存在している側（光が出射される側の壁である。）を表壁１９とし、溝１５が存在していない側を裏壁２１とする。また、表壁１９であって溝１５の両側部分を第１部分１９ａ及び第２部分１９ｂとする（単に、「表壁１９ａ，１９ｂ」とすることもある。）。短辺に相当する壁を、第１側壁２３及び第２側壁２５とする。
【００２６】
レール部材１７は、例えば、絶縁材料やアルミニウム等により構成され、表壁１９の第１部分１９ａと第２部分１９ｂの裏側（つまり内面である。）にはＬＥＤモジュール７への給電用の給電路２７ａ，２７ｂが、第１側壁２３の裏側（つまり内面である。）には後述の導電路２９がそれぞれ溝１５に沿って（つまり、レール部材１７の中心軸の延伸する方向（長手方向）に沿ってである。）連続して設けられている。
【００２７】
ホルダ５は、図２に示すように、ガラス管３の内面であって互いに離間する２箇所（例えば、図２における「Ｂ１」と「Ｂ２」である。）を架橋する（跨ぐ）状態でガラス管３内に配され、この架橋状態を維持してホルダ５の裏壁２１の外面２１ａとガラス管３の内面３ａとの間に接着剤９が配されている。なお、接着剤９は、例えば、ホルダ５とガラス管３との間に注入されることで両者の間に充填されている。
【００２８】
ＬＥＤモジュール７は、図４に示すように、表面に配線パターン３１を有する基板３３と、基板３３の表面に実装された複数のＬＥＤ３５と、複数のＬＥＤ３５を封止する封止体３７とを備え、独立した形態である（つまり、独立可搬である。）。
【００２９】
なお、図４では、１つのＬＥＤモジュール７に実装されているＬＥＤ３５は封止体３７により覆われているものを含めて合計４個であるが、ＬＥＤの個数はこれに限定するものではない。また、ＬＥＤ３５から発せられた光は、結果的に封止体３７から出射されるので、封止体３７の存する領域が、「光出射領域」でもある。
【００３０】
基板３３は、絶縁性材料（例えば、セラミックである。）により構成され、ホルダ５の内部の挿入される大きさである。配線パターン３１は、基板３３上に実装される複数のＬＥＤ３５を直列に接続するための接続部３９と、ＬＥＤモジュール７がホルダ５により保持（装着）されたときにホルダ５の給電路２７ａ，２７ｂに接触して電気的に接続される端子部（「受電端子」でもある。）４１ａ，４１ｂとを有する。
【００３１】
封止体３７は、例えば、透光性樹脂（例えば、シリコーン樹脂である。）等により構成され、ＬＥＤ３５から発せられた光の波長を変換する必要がある場合は、蛍光体粉末等の波長変換機能を有する材料が透光性樹脂に混入される。
【００３２】
例えば、ＬＥＤ３５として、青色発光するＧａＮ系を用いてＬＥＤモジュール７から白色光を出射させる場合、蛍光体粉末として、(Ｂａ,Ｓｒ)2ＳｉＯ4:Ｅｕ2+の黄緑色蛍光体粉末とＳｒ2Ｓｉ5Ｎ8:Ｅｕ2+赤色蛍光体粉末とが用いられる。
【００３３】
なお、ＬＥＤ３５から発せられた光の波長を変換する必要がある場合、例えば、ガラス管の内周面に蛍光体粉末を含む蛍光膜を形成することでも実施できる。
端子部４１ａ，４１ｂは、基板３３の主面であって、封止体３７が形成されていない部分（「肩部」でもある。）に外気に露出する状態で形成されている。
【００３４】
ホルダ５内にＬＥＤモジュール７が挿入された状態において、ホルダ５とＬＥＤモジュール７との間にはＬＥＤモジュール７を表壁１９へと押付ける押付け板４３が挿入されている。押付け板４３は、ＬＥＤモジュール７（ＬＥＤ３５）の発光時に発生した熱をホルダ５へと伝える伝熱機能を有する。このため、押付け板４３としては、伝熱性の高い材料を用いるのが好ましい。さらに軽量化を考慮して比重の小さな材料を用いるのが好ましい。
【００３５】
ホルダ５内にＬＥＤモジュール７が挿入された状態において、隣り合うＬＥＤモジュール７，７間には、図３及び図４に示すように、当該ＬＥＤモジュール７，７の間隔を調整するためのスペーサ（「スペーサ部材」でもある。）４５が設けられている。
【００３６】
なお、隣り合うＬＥＤモジュール７及びスペーサ４５は、ホルダ５の両端に装着された押さえ部材４７，４９（図５参照）によりホルダ５の中心軸方向への移動が規制され、結果的にホルダ５に固定（保持）される。
【００３７】
スペーサ４５は絶縁材料（例えば、セラミックである。）で構成されている。なお、スペーサ４５は、軽量化を考慮して比重の小さな材料を用いるのが好ましい。
図５は、ＬＥＤモジュールを実装するホルダの端部の斜視図である。
【００３８】
押さえ部材４７，４９は、図５に示すように、レール部材１７の端部内部に嵌合する嵌合部５１，５３と、レール部材１７の端縁に当接する鍔部５５，５７とを備え、鍔部５５，５７の外面からは口金１１，１１に接続されるリード線５９，６１が延出している。
【００３９】
接着剤９は、ホルダ５をガラス管３内に接合させる接合機能と、ＬＥＤモジュール７（ＬＥＤ３５）の発光時に発生した熱をホルダ５からガラス管３へと伝える伝熱機能とを有する。このため、接着剤９としては、伝熱性の高い材料を用いるのが好ましい。さらに軽量化を考慮して比重の小さな材料を用いるのが好ましい。
【００４０】
伝熱機能は、ホルダ５がガラス管３の内面（正確には横断面において２点である。）に接触した状態で接着剤９を介してガラス管３の内面３ａに接合されることで実現される。つまり、ホルダ５における長手方向に延伸する端縁（図２の「Ｂ１」、「Ｂ２」に相当する。）がガラス管３の内面３ａに接触し、ホルダ５の裏面である裏壁２１の表面（外面でもあり、図２中の下面である。）とガラス管３の内面３ａとの間に接着剤９が存している。
【００４１】
口金１１は、図１に示すように、直管状の蛍光灯で利用されているＧ型口金である。しかしながら、別のタイプの口金、例えば、Ｇ１０ｑ、ＧＸ１０ｑ、ＧＹ１０ｑ等の口金やＰ口金であっても良く、対象とする蛍光灯やＬＥＤランプを装着する照明器具に合わせて適宜決定すれば良い。
【００４２】
図６は、ＬＥＤランプの端部を拡大した断面図である。
口金１１は、有底筒状の口金本体６３と、口金本体６３の底部６５の外面から外方へと延出する一対の口金ピン６９とを備える。なお、口金本体６３は筒部６７と底部６５とを有し、口金ピン６９は、口金本体６３の底部６５の内面に取着された固定具６６を介して、口金本体６３に装着されている。
【００４３】
口金１１は、図６に示すように、アダプタ７１を介してガラス管３の端部に着脱自在に装着されている。アダプタ７１は、ガラス管３の内周面形状に合わせた円筒であり、一端側（ガラス管の中央に近い側）の外周面がガラス管３の内周面に接着剤７３により固着されている。
【００４４】
アダプタ７１の他端側の外周面と口金本体６３の筒部６７の内周面とには、互いに螺合するネジが形成されており、口金１１がアダプタ７１の他端に螺着することで、口金１１がガラス管３の端部に対して着脱自在に装着されることになる。
【００４５】
図７は、ＬＥＤランプに係る回路図である。
複数のＬＥＤモジュール７は、給電路２７ａ，２７ｂに対して並列に電気接続されている。
【００４６】
点灯回路１３は、同図に示すように、整流回路である。ここでは、整流回路として、４個のツェナダイオード７５を用いたダイオードブリッジ７７が用いられ、図５に示すように、押さえ部材４７の嵌合部５１の外面（表面）に実装されている。
【００４７】
点灯回路１３の入力端は、口金１１の一対の口金ピン６９を短絡状態にして当該口金ピン６９にリード線５９，６１介して接続されている。リード線５９，６１と口金ピン６９，６９との電気的接続は、例えば、口金ピン６９，６９内にリード線５９，６１を挿通させた状態で、口金ピン６９，６９内に溶融した半田を流し込むことで行われる。当然、他の方法、例えば、カシメによりリード線と口金ピンとを接続しても良い。
【００４８】
点灯回路１３とリード線５９との接続は、押さえ部材４７の嵌合部５１の外面（表面）に形成されている導電路７９を介して行われる。点灯回路１３とリード線６１との接続は、押さえ部材４７の嵌合部５１の外面（表面）に形成されている導電路８１、レール部材１７の側壁２３の内面の導電路２９を介して行われている。
【００４９】
点灯回路１３の出力端は、レール部材１７の表壁１９の裏面に設けられている給電路２７ａ，２７ｂに対し、嵌合部５１の外面に形成されている導電路８３，８５を介して接続されている。
【００５０】
押さえ部材４７に形成されている導電路８３，８５は、他方の押さえ部材４９の嵌合部５３の外面（表面）に形成されている導電路８７により電気的に接続される。つまり、レール部材１７の表壁１９ａの裏面に設けられている給電路２７ａ、押さえ部材４９の嵌合部５３の外面（表面）に形成されている導電路８７、レール部材１７の表壁１９ｂの裏面に設けられている給電路２７ａを介して接続される。
２．製造方法
第１の実施の形態に係るＬＥＤランプ１の製造方法について一例を説明する。
【００５１】
まず、ＬＥＤランプ１に係るガラス管３を準備し、ガラス管３の端部にアダプタ７１を接着剤７３により固着する。この際、接着剤７３（例えばセメント）を利用しても、ガラス管３内にはＬＥＤ（３５）がまだ存在していないため、接着剤を硬化させる際に加熱しても、ＬＥＤ（３５）に熱ダメージを与えるおそれがない。
【００５２】
次に、ガラス管３の全長に合わせたホルダ５を準備する。この際、準備するホルダ５は、当該ホルダ５に実装されるＬＥＤモジュール７のサイズが一定であれば、対象とする蛍光灯の仕様に関係なく、ＬＥＤモジュールを保持できる。
【００５３】
このため、ホルダ５となる長尺の部材から、対象とする蛍光灯の仕様に合わせたＬＥＤランプ１に対応するように切り出せば良く、ホルダ５の仕様（規格）を共通化することができる（これにより部品の低コスト化を図ることができる。）。
【００５４】
次に、ガラス管３内にホルダ５を装着する。具体的には、ホルダ５の裏面側の端縁（図２のＢ１、Ｂ２である。）がガラス管３の内面３ａに接触する状態で装着する。
装着する方法としては、ホルダ５とガラス管３との間の隙間に接着剤を注入する他、例えば、装着面(裏壁２１の外面である。）に接着剤９を塗布したホルダ５をガラス管３内に挿入した後、ホルダ５の裏面側の端縁（図２中の「Ｂ１」、「Ｂ２」である。）をガラス管３の内面３ａに接触させるように押し当て、この状態を保持して接着剤９を硬化（例えば、加熱硬化である。）させる方法がある。
【００５５】
そして、ガラス管３内に装着されたホルダ５に所定数のＬＥＤモジュール７とスペーサ４５とをレール部材１７の端部（の開口）から交互に挿入させる。この際、ホルダ５に挿入するＬＥＤモジュール７として同一仕様のものを使用でき、ＬＥＤモジュールの仕様（規格）の共通化を図ることができる（これにより、部品の低コスト化を図ることができる。）。
【００５６】
特に、スペーサ４５は、ホルダ５に挿入するための幅（スペーサ４５の主面（表面）へ平行な方向であってホルダ５への挿入方向と直交する方向の寸法であり、図２における左右方向の寸法である。）と、高さ（スペーサの主面（表面）と直交する方向の寸法であり、図２における上下方向の寸法である。）とが一定（つまり、横断面形状が同じである。）の長尺のものを製作し、対象の蛍光灯に対応するように所定の長さに切り出すことができる（つまり、スペーサ４５の仕様（規格）の共通化を図ることができる。）。これにより、部品の低コスト化を図ることができる。
【００５７】
ＬＥＤモジュール７とスペーサ４５をホルダ５に挿入後、ＬＥＤモジュール７とホルダ５の裏壁２１との間及びスペーサ４５とホルダ５の裏壁２１との間に押付け板４３を挿入する（挿入する際にはＬＥＤモジュール７を下向きにすれば良い。）。
【００５８】
これにより、ＬＥＤモジュール７がホルダ５の表壁１９側に押付けられ、端子部４１ａ，４１ｂがホルダ５の給電路２７ａ，２７ｂに接触する。なお、押付け板４３も上記ホルダ５等と共に部品の共通化ができる。
【００５９】
その後、押さえ部材４７，４９の嵌合部５１，５３をホルダ５のレール部材１７の端部へと嵌合させる。これにより、ＬＥＤモジュール４のホルダ５に対する位置決めがなされ、ＬＥＤモジュール７と押さえ部材４７，４９との間の電気的導通が確保される。
【００６０】
この際、対象とする蛍光灯の仕様が異なってもＬＥＤランプ１として同じ仕様のホルダ５を使用すれば、同じ仕様の押さえ部材４７，４９を利用することができる。
最後に、押さえ部材４７，４９から延出しているリード線５９，６１と口金ピン６９とを電気的に接続しつつ、口金本体６３をガラス管３の端部のアダプタ７１（，７１）に螺着する。
【００６１】
これにより、口金１１やＬＥＤモジュール７等が電気的に接続され、ＬＥＤランプ１が完成する。この際、対象とする蛍光灯の仕様が異なってもＬＥＤランプ１として同じ内径のガラス管３を使用すれば、同じ仕様のアダプタ７１や口金１１を利用することができる。
３．使用例
ＬＥＤランプ１の使用例について具体的に説明する。
【００６２】
上記構成のＬＥＤランプ１において、複数のＬＥＤモジュール７のうちの一つのＬＥＤモジュール７が点灯（発光）していない場合、点灯していないＬＥＤモジュールの交換方法について説明する。
【００６３】
まず、ガラス管３の両端のアダプタ７１に装着されている口金１１，１１のどちらか一方を取り外す。ここでの説明では、図６を参考にするため、リード線５９と接続する口金１１を取り外すことにする。なお、口金ピン６９からのリード線５９の取り外しは、口金ピン６９を加熱して、口金ピン６９内の半田を溶融することで行われる。
【００６４】
口金１１を取り外すと、ホルダ５の端部の開口に嵌め込まれている押さえ部材４７と押さえ板４３とを抜いてホルダ５から取り外す。これにより、ホルダ５内に挿入されていたＬＥＤモジュール７とスペーサ４５とが移動可能となる。
【００６５】
次に、ホルダ５の端部（ガラス管３の端部）からＬＥＤモジュール７やスペーサ４５を順次取り出し、交換すべきＬＥＤモジュール７を取り出す。そして、交換すべき（取り出した）ＬＥＤモジュール７に変えて交換用の正常なＬＥＤモジュール７をホルダ５内に挿入し、これまで正常に点灯していたＬＥＤモジュール７とスペーサ４５とをホルダ５内に順次挿入する。
【００６６】
そして、押さえ板４３をホルダ７に差し込み、さらに押さえ部材４７をホルダ７に嵌め込み、最後に押さえ部材４７のリード線５９と口金ピン６９とを電気的に接続しつつ口金１１をガラス管３に装着して、ＬＥＤモジュール７の交換が終了する。このように、第１の実施の形態に係るＬＥＤランプ１では、ランプ１に組立てた後でも、ＬＥＤモジュール７を容易に交換でき、また、異常のない他の部品・部材をそのまま引き続き利用することができ、再利用も図ることができる。
＜第２の実施の形態＞
第１の実施の形態では、ＬＥＤモジュール７の端子部４１ａ，４１ｂは、ホルダ５の給電路２７ａ，２７ｂと電気的に接続されて受電していたが、他の構造で受電しても良く、他の受電構造を第２の実施の形態として以下説明する。
【００６７】
図８は、第２の実施の形態に係るＬＥＤランプの内部構造を説明するための斜視図である。
ＬＥＤランプ１０１は、第１の実施の形態と同様に、ガラス管３、ホルダ１０５、ＬＥＤモジュール１０７、スペーサ１０９、押さえ部材１１１、図外のアダプタ（７１）、口金（１１）等を備える。なお、第２の実施の形態に係るＬＥＤランプ１０１において、第１の実施の形態に係るＬＥＤランプ１と同様の構成については、第１の実施の形態で説明した符号を用いると共にそれらの説明は省略する。
【００６８】
ホルダ１０５は、接着剤（図示省略）を介してガラス管３の内面３ａに固着されている。ホルダ１０５は、図８に示すように、ガラス管３の軸心方向に沿って延伸する溝１１３を有するレール部材１１５により構成されている。レール部材１１５の横断面形状は、第１の実施の形態と同様に、横長の矩形状であってその長辺に相当する表壁に溝１１３を有するＣ字型をしている。
【００６９】
レール部材１１５の横断面における内周面形状は矩形状をし、その短辺に相当する寸法がＬＥＤモジュール１０７（の基板）及びスペーサ１０９の高さに相当し、長辺に相当する寸法がＬＥＤモジュール１０７及びスペーサ１０９のホルダ１０５への挿入方向と直交する方向（左右方向である。）の寸法（幅）に相当する。なお、ＬＥＤモジュール１０７及びスペーサ１０９がホルダ１０５内に挿入された状態では、ＬＥＤモジュール１０７及びスペーサ１０９のガタつきは殆どない。
【００７０】
ＬＥＤモジュール１０７は、主面にＬＥＤ実装用の配線パターン（図示省略）を有する基板１１７と、基板１１７の主面に実装されたＬＥＤ（図示省略）と、ＬＥＤを封止する封止体１１９とを有する。また、スペーサ１０９は、絶縁材料により構成された横断面形状が矩形状をした柱状（中実・中空の両概念を含む。）をしている。
【００７１】
ＬＥＤモジュール１０７の基板１１７は、ＬＥＤモジュール１０７のホルダ１０５への挿入方向と直交する両側面に、主面の配線パターンと電気的に接続する一対の端子部１２１ａ，１２１ｂ、１２３ａ，１２３ｂを有している。
【００７２】
スペーサ１０９は、スペーサ１０９のホルダ１０５への挿入方向と直交する両側面に、一対の接続端子部１２５ａ，１２５ｂ、１２７ａ，１２７ｂを有している。なお、一方の側面の接続端子部１２５ａは他方の側面の接続端子部１２７ａと電気的に接続し、同様に、一方の側面の接続端子部１２５ｂは他方の側面の接続端子部１２７ｂと電気的に接続している。
【００７３】
そして、ＬＥＤモジュール１０７及びスペーサ１０９がホルダ１０５に挿入（装着）された状態では、隣接するスペーサ１０９の接続端子部１２５ａ，１２５ｂ、１２７ａ，１２７ｂとＬＥＤモジュール１０７の端子部１２１ａ，１２１ｂ、１２３ａ，１２３ｂとが当接する。これにより、ＬＥＤモジュール１０７とスペーサ１０９との間で電気的導通が確保される。
【００７４】
なお、スペーサ１０９の接続端子部１２５ａ，１２５ｂ、１２７ａ，１２７ｂとＬＥＤモジュール１０７の端子部１２１ａ，１２１ｂ、１２３ａ，１２３ｂとが確実に接触するように、スペーサ１０９の接続端子部１２５ａ，１２５ｂ、１２７ａ，１２７ｂは、ＬＥＤモジュール１０７側へと張り出す円弧状をし、ＬＥＤモジュール１０７との接触状態により弾性変形する。
【００７５】
押さえ部材１１１は、第１の実施の形態と略同じ構成であり、第１の実施の形態におけるＬＥＤモジュール７に給電するための給電路２７ａ，２７ｂの代わりに、本実施の形態ではＬＥＤモジュール１０７の端子部１２１ａ，１２１ｂ、１２３ａ，１２３ｂ又はスペーサ１０９の接続端子部１２５ａ，１２５ｂ、１２７ａ，１２７ｂと接続する給電端子部１３１ａ，１３１ｂを嵌合部１３３の側面に有している。この側面は、ＬＥＤモジュール１０７及びスペーサ１０９のホルダ１０５への挿入方向と直交する面であって、ホルダ１０５の長手方向の中央に近い側の面である。
【００７６】
ホルダ１０５の両端に嵌合される一対の押さえ部材（１つは図８の「１１１」である。）は、ホルダ１０５の内部に設けられた導電路１３９を介して接続され、ホルダ１０５の両端に嵌合される一対の押さえ部材のうちの一方（図８で表されている押さえ部材である。）は、その嵌合部１３３に点灯回路１３５や給電路等を有する。
＜第３の実施の形態＞
第１及び第２の実施の形態では、ＬＥＤは基板の主面に実装され、当該ＬＥＤの位置が一定となるようにＬＥＤモジュールがホルダに装着されている。つまり、ＬＥＤモジュールは、一定の姿勢でホルダに保持されているため、所定の一定方向のみを照射している。
【００７７】
しかしながら、ＬＥＤモジュールのホルダに装着される姿勢は一定でなくても良く、ＬＥＤモジュールの姿勢が異なるＬＥＤランプを第３の実施の形態として以下説明する。
１．構成
図９は、第３の実施の形態に係るＬＥＤランプの構造を説明するための概略斜視図である。
【００７８】
ＬＥＤランプ２０１は、ガラス管３、ホルダ２０５、ＬＥＤモジュール２０７、口金部材２０９の他、アダプタ２１１等を備える。なお、第３の実施の形態に係るアダプタ２１１は、ホルダ２０５をガラス管３の内部で固定するための機能と、口金部材２０９をガラス管３に着脱自在に装着するための機能を有する。
【００７９】
ここで、第３の実施の形態に係るＬＥＤランプ２０１において、第１及び第２の実施の形態に係るＬＥＤランプ１，１０１と同様の構成については、第１及び第２の実施の形態で説明した符号を用いると共にそれらの説明は省略する。
【００８０】
ホルダ２０５は、透光性材料からなる筒体により構成されている。この筒体は例えば、横断面形状が２ｎ角形、ここでは正八角形（ｎが４の整数である。）をした環状をしている。なお、ホルダ２０５の材料としては、例えば、ガラス材料を利用することができる。
【００８１】
図１０は、第３の実施の形態に係るＬＥＤモジュールの構造を説明するための斜視図である。
ＬＥＤモジュール２０７は、箱状をしたモジュール本体２１３と、モジュール本体２１３の表面及び裏面に実装された複数のＬＥＤ（図示省略）と、モジュール本体２１３の表面及び裏面のＬＥＤを覆う封止体２１５とを備える。つまり、モジュール本体２１３の表裏両面に光出射領域を有する。
【００８２】
モジュール本体２１３は、両端が開口した筒状であって横断面形状が矩形状をした枠体２１７と、枠体２１７の開口を塞ぐ蓋体２１９，２１９とを備え、枠体２１７の側壁２１７ａ，２１７ｂには他のＬＥＤモジュール２０７と機械的及び電気的に接続するための接続部２２１，２２３が設けられている。なお、上記の側壁２１７ａ，２１７ｂは、ＬＥＤモジュール２０７をホルダ２０５に挿入する際の挿入（挿抜）方向と直交する壁である。
【００８３】
モジュール本体２１３の幅（つまり、ＬＥＤモジュール２０７の幅）は、ホルダ２０５の互いに対向する一対の内面間距離に適合している。これにより、ＬＥＤモジュール２０７がホルダ２０５内で回転等することなく保持される。
【００８４】
また、ホルダ２０５内に挿入される複数のＬＥＤモジュール２０７は、ＬＥＤモジュール２０７の幅方向の両側面が、ホルダ２０５の異なった対向内面に接するように（つまり、ＬＥＤモジュール２０７の姿勢が異なるように）挿入されている。
【００８５】
接続部２２１，２２３は、側壁２１７ａ，２１７ｂの中心に設けられている。つまり、ＬＥＤモジュール２０７の接合方向（ＬＥＤモジュール２０７のホルダ２０５に対する挿抜方向である。）と平行であって側壁２１７ａ，２１７ｂの中心を通る仮想線上に設けられている。
【００８６】
接続部２２１，２２３のうち一方の接続部２２１は、側壁２１７ａから上記の仮想線に沿って突出し、他方の接続部２２３は、側壁２１７ｂから仮想線に沿って凹入し、互いに嵌合する形状をしている。つまり、複数のＬＥＤモジュール２０７がホルダ２０５に装着されたときに、接続部２２１は当該側壁２１７ａと対向すると共に隣接する他のＬＥＤモジュール２０７の側壁２１７ｂの接続部２２３と嵌合し、接続部２２３は当該側壁２１７ｂと対向すると共に隣接する他のＬＥＤモジュール２０７の側壁２１７ａの接続部２２１と嵌合する。
【００８７】
接続部２２１は横断面形状が正八角形の裁頭八角錐状に突出し、接続部２２３は横断面形状が正八角形の裁頭八角錐状に凹入している。接続部２２１の外周には環状をした３つの導電部２２１ａ，２２１ｂ，２２１ｃが形成され、接続部２２３の内周には環状をした３つの導電部２２３ａ，２２３ｂ，２２３ｃが形成されている。
【００８８】
接続部２２１の導電部２２１ａ，２２１ｂはＬＥＤと電気的に接続され、導電部２２１ｃは、ガラス管３の両端に配される口金部材２０９と電気的に接続される（第１の実施の形態に係る導電路２９に相当する。）。
【００８９】
接続部２２３の導電部２２３ａ，２２３ｂもＬＥＤと電気的に接続され、導電部２２３ｃは、ガラス管３の両端に配される口金部材２０９と電気的に接続される（第１の実施の形態に係る導電路２９に相当する。）。
【００９０】
導電部２２１ａ，２２３ａ及び導電部２２１ｂ，２２３ｂは、配線２２５，２２６を介してＬＥＤと接続されている（導電部２２１ａ，２２１ｂの配線の図示は省略している。）。導電部２２１ｂ，２２３ｂは、配線２２７を介して接続されている。
【００９１】
なお、複数のＬＥＤモジュール（２０７）がガラス管３の軸心方向に沿って連結されたとき、その軸心方向の両端に位置するＬＥＤモジュールの一方を符号「２０７Ａ」とし、他方を符号「２０７Ｂ」とする。
【００９２】
ＬＥＤモジュール２０７Ａの接続部（符号「２２１Ａ」とする。）は、裁頭八角錐状に突出せずに裁頭円錐状に突出し、ＬＥＤモジュール２０７Ｂの接続部（符号「２２１Ｂ」とする。）は、裁頭八角錐状に凹入せずに裁頭円錐状に凹入している。
【００９３】
図１１は、ＬＥＤランプの一端側の断面拡大図である。
アダプタ２１１は、図１１に示すように、ガラス管３の両端部の内面に装着されている。なお、アダプタ２１１のガラス管３への装着は、例えば、接着剤等により行うことができる。
【００９４】
アダプタ２１１は、ホルダ２０５を保持する保持部２３１と、口金部材を装着するための装着部２３３とを有する。アダプタ２１１は、筒状をし、ガラス管３の中心側が保持部２３１であり、ガラス管３の端部側が装着部２３３である。
【００９５】
保持部２３１は、筒状の内周面２３１ａがホルダ２０５の外周面と一致し、互いに嵌合することで、保持部２３１はホルダ２０５を保持する。なお、保持部２３１の内周面２３１ａの形状は、ホルダ２０５を保持できれば良く、例えば、外周形状が正八角形のホルダ２０５の場合、中心を通り互いに対向する少なくとも２つの辺に当接するような形状（例えば正八角形が外接する正方形状である。）であっても良い。
【００９６】
装着部２３３は、第１の実施の形態と同様に、全体の形状が筒状をし、その内周面がネジ２３３ａとなっている。このネジ２３３ａに螺合するネジ（２６１）が口金部材２０９に形成されており、これらが互いに螺合することで、装着部２３３は口金部材２０９を着脱自在に装着する。
【００９７】
口金部材２０９は、口金ピン２４７を有する口金２４９と、口金部材２０９をアダプタ２１１に装着したり、ＬＥＤモジュール２０７Ａ，２０７Ｂと機械的・電気的に接続したりする接続部材２５１とを有する。
【００９８】
口金２４９は、有底筒状の口金胴部２５３と、口金胴部２５３に設けられた口金ピン２４７とを備える。なお、この口金２４９は、Ｇ型である。
接続部材２５１は、有底筒状をし、口金２４９の口金胴部２５３に固着される固着部２５７と、アダプタ２１１に装着される装着部２５５と、ＬＥＤモジュール２０７又はスペーサと接続する接続部２５９とを備える。
【００９９】
接続部材２５１は、大径部と小径部と底部とを有し、大径部が固着部２５７と、小径部が装着部２５５とそれぞれなり、接続部２５９は底部から突出している部分からなる。装着部２５５は、アダプタ２１１のネジ２３３ａに螺合するネジ２６０により構成される。
【０１００】
接続部２５９は、ＬＥＤモジュール２０７Ａの接続部２２１Ａと接続する接続部分２６１を備える。接続部分２６１は、ＬＥＤモジュール２０７Ａの接続部２２１ＡやＬＥＤモジュール２０７Ｂの接続部２２３Ｂに対応して設けられている。
【０１０１】
ここでも接続部分２６１は、ＬＥＤモジュール２０７Ａの接続部２２１Ａに対応して、裁頭円錐状に凹入し、軸心に沿ってした環状を３つの導電部（図１０の「２２１ａ」、「２２１ｂ」「２２１ｃ」に相当する。）が形成されている。
【０１０２】
ここで、ＬＥＤモジュール２０７Ａと口金部材２０９とは、ＬＥＤモジュール２０７Ａの接続部２２１Ａと口金部材２０９の接続部分２６１との横断面形状がそれぞれ円状をしているため、口金部材２０９をアダプタ２１１に対して螺合するために回転させることできる。なお、他方の口金部材も、基本的は上記説明した口金部材２０９と同じ構成である。
２．その他
第３の実施の形態の上記説明では、複数のＬＥＤモジュール２０７の姿勢が異なるようにホルダ２０５に保持されていたが、横断面形状が多角形状のホルダに同じ姿勢で保持されていても良い。
【０１０３】
図１２は、第３の実施の形態に係る変形例を示す図である。
ＬＥＤランプ２７１は、同図に示すように、ガラス管３、ホルダ２０５、ＬＥＤモジュール２７３等を備える。ホルダ２０５は、第３の実施の形態で説明したホルダ２０５と同じ構成であり、アダプタ２１１によりガラス管３に保持されている。
【０１０４】
ＬＥＤモジュール２７３は、箱状のモジュール本体２７５と、モジュール本体２７５の表・裏面に形成されている発光部２７７ａ，２７７ｂと、モジュール本体２７５におけるホルダ２０５中心軸方向と直交する両端面に設けられた導電部２７９ａ，２７９ｂとを備える。なお、導電部２７９ｂは、図１２には現れていない。
【０１０５】
発光部２７７ａ，２７７ｂは、モジュール本体２７５の表・裏面に実装された複数のＬＥＤと、これらＬＥＤを覆う封止体とから構成される。なお、発光部２７７ａ，２７７ｂの存する領域は、光出射領域でもある。
【０１０６】
ここでは、モジュール本体２７５は、箱状をしているが、当然、基板等の板状であっても良い。特に基板の厚みが薄い場合には、ＬＥＤの実装位置を基板表裏で異なるようにするのが放熱性の観点から好ましい。つまり、ＬＥＤの熱が基板全体に伝わるように、表裏のＬＥＤを分散して実装するのが好ましい。
【０１０７】
また、導電部２７９ａ，２７９ｂは、第３の実施の形態の導電部２２１，２２３と同様に、隣接する他のＬＥＤモジュールの導電部２７９ｂ，２７９ａと嵌合する形状（構造）であり、横断面形状が矩形状で端面から離れるに従って細くなる凹凸形状をしている。
【０１０８】
但し、ホルダが多角形状の横断面形状をした筒体であり、ＬＥＤモジュールの幅がホルダの対向する内面間距離に適合している場合、ＬＥＤモジュールはホルダ内で回転するおそれがないため、導電部の横断面の外周形状を円形状に構成することもできる。
【０１０９】
また、ＬＥＤモジュールの姿勢を変更する必要がない場合、ホルダとして、例えば、横断面形状が楕円形状の筒体を利用すると、ＬＥＤモジュールの幅がホルダの長軸に相当する内面間距離（長径である。）に適合させることで、ＬＥＤモジュールがホルダに保持されることになる。
【０１１０】
図１３は、第３の実施の形態に係る別の変形例を示す図である。
第３の実施の形態の上記説明では、ＬＥＤモジュール２０７は六面を有する箱状をしていたが、別の形状でも良いし、さらに、ホルダの横断面形状も多角形でなくても良い。
【０１１１】
ＬＥＤランプ２８１は、同図に示すように、ガラス管３、ホルダ２８３、ＬＥＤモジュール２８５、アダプタ２８７等を備える。ホルダ２８３は、中央に円形状の貫通孔を有するアダプタ２８７より保持されている。なお、ＬＥＤモジュール２８５が口金部材等により回転しないように保持されている場合は、ホルダが回転しても特に問題は生じない。
【０１１２】
ＬＥＤモジュール２８５は、三角柱（中実、中空の両方の概念を含む。）状のモジュール本体２８９と、モジュール本体２８９の横断面形状が三角形状をした各辺に対応する各側面に形成されている発光部２９１，２９１，２９１と、モジュール本体２８５の両端面に設けられた導電部２９３ａ，２９３ｂを有する。なお、導電部２９３ｂは、図１３には現れていない。また、発光部２９１の存する領域は、光出射領域でもある。
【０１１３】
また、導電部２９３ａ，２９３ｂは、第３の実施の形態の導電部２２１，２２３と同様に、隣接する他のＬＥＤモジュールの導電部２９３ｂ，２９３ａと嵌合する形状（構造）であり、横断面形状が矩形状で端面から離れるに従って細くなる凹凸形状をしている。
【０１１４】
導電部２９３ａ，２９３ｂの横断面形状は、ここでは、三角形状をしているが、三角形状以上の多角形状であれば良い。ＬＥＤモジュール２８５の姿勢を異なるようにするには、導電部２９３ａ，２９３ｂの横断面形状を四角形状以上の多角形状にして、隣接するＬＥＤモジュール同士の姿勢が異なるように接続すれば良い。
＜変形例＞
以上、本発明を上記の各実施の形態に基づいて説明したが、本発明の内容が、上記の各実施の形態に示された具体例に限定されないことは勿論であり、例えば、以下のような変形例を実施することができる。
１．ガラス管
上記実施の形態では、ガラス管３は、その横断面形状が円環状であったが、他の横断面形状であっても良い。他の形状としては、三角形等の多角形をした環状であっても良いし、楕円形の環状であっても良い。楕円形のガラス管を利用する場合、ガラス管の横断面における楕円形の長径にホルダの幅を合わせれば、幅広のホルダを利用することができる。なお、透光性の材料（例えば、セラミック材料や樹脂材料である。）を用いた筒体であれば上記ガラス管の代わりに利用することも可能である。
２．ＬＥＤモジュール
上記の実施の形態では、ＬＥＤモジュール７，１０７，２０７は１種類（ホルダ５，１０５，２０５に保持されるＬＥＤモジュールの仕様が同じであるという意味である。）であったが、例えば、ホルダ５，１０５，２０５に対して挿抜を行う挿抜方向の長さが異なる複数種類のＬＥＤモジュールを準備しておき、複数種類のＬＥＤモジュールを交互にホルダに挿入するようにして、ＬＥＤモジュールのピッチを調整しても良い。これにより、例えば第１の実施の形態で説明したスペーサ４５の利用をなくすることができる。
【０１１５】
ＬＥＤモジュールは、平面視形状が正方形状をしていたが、他の形状でも良い。他の形状としては、平面視において円形状、長方形状、三角形状等の多角形状（面取り、丸みをつけて角をなくした形状を含む。）であっても良いし、さらには、多角形状のうちの一部が円弧形状をしても良い。なお、ホルダに対してスライドさせてＬＥＤモジュールを保持する場合、スライドし易い形状が好ましい。
【０１１６】
また、第１及び第２の実施の形態におけるＬＥＤモジュール７，１０７は、基板の一主面にＬＥＤが実装され、第３の実施の形態におけるＬＥＤモジュール２０７は、モジュール本体２１３の表裏の主面にＬＥＤが実装されていた。
【０１１７】
しかしながら、ＬＥＤモジュールはＬＥＤを実装しておれば良く、その実装面の形状、実装面の数、１つのＬＥＤモジュールに実装されるＬＥＤの数等により限定されるものではない。例えば、円弧状をした基板（モジュール本体）にＬＥＤを実装しても良いし、横断面形状が多角形状をし、その複数の辺のすべて或いは一部にＬＥＤを実装するようにしても良い。
３．ホルダ
（１）個数
上記各実施の形態では、ガラス管３内に１個のホルダ５，１０５，２０５が挿入・配置されていたが、例えば、複数のホルダを機械的及び電気的に連結する連結部材を利用して一本の連続したホルダとしても良い。この場合、他のＬＥＤランプで使用したホルダを取り出し、他の長尺のＬＥＤランプにも使用することができ、部材の再利用が可能となる。
（２）横断面形状
ホルダの横断面形状は、実施の形態で説明した形状に限定するものでなく、他の形状であっても良い。他の形状について説明する。
【０１１８】
図１４は、ホルダの横断面形状の変形例１を示す図である。
（ａ）例１
第１及び第２の実施の形態に係るホルダ５，１０５では、表壁１９に中心軸方向に延伸する溝１５，１１３を有するレール部材１７，１１５を利用し、表壁１９が裏壁２１と平行であったが、表壁は、同図の（ａ）に示すように、裏壁に対して傾斜していても良い。
【０１１９】
本変形例１の例１に係るホルダ３０１は、表壁３０３の略中央に溝３０５を有し、表壁３０３は溝３０５から離れるに従って裏壁３０７に近づくように傾斜している。ＬＥＤモジュール３１１は、ホルダ３０１の内部形状に合わせ、基板３１３の上面３１３ａが表壁３０３の内面（裏面）に沿って傾斜している。
【０１２０】
なお、ＬＥＤモジュール３１１は、ホルダ３０１内で保持されれば、その形状は特に限定されるものではなく、例えば、第１及び第２の実施の形態で説明したＬＥＤモジュール７，１０７の形状でも良い。
（ｂ）例２
第１〜第３の実施の形態ではホルダ５，１０５，２０５の内部にＬＥＤモジュール７，１０７，２０７が挿入されて保持されていたが、ホルダは、複数のＬＥＤモジュールを長手方向（ガラス管の軸心方向である。）に沿って例えば数珠状に保持できれば良く、例えば、図１４の（ｂ）に示すように、長手方向に連続する突出部を有するホルダであっても良い。
【０１２１】
本変形例１の例２に係るホルダ３３１は、ベース３３３と、ベース３３３における表面側に形成された突出部３３５とを備える。突出部３３５は、ホルダ３３１の長手方向に連続して形成され、その横断面形状は上底が下底より長い台形状をしている。
【０１２２】
一方、例２に係るＬＥＤモジュール３４１は、基板３４３と、基板３４３の表面に実装されたＬＥＤ（図示省略）と、基板３４３の主面に形成され且つ前記ＬＥＤを被覆する封止体３４５とを備える。
【０１２３】
基板３４３は、その裏面がホルダ３３１の突出部３３５に嵌合する溝３４７を有している。つまり、溝３４７の横断面形状が、上底が下底より長い台形状（あり溝形状である。）をしている。
【０１２４】
これにより、ＬＥＤモジュール３４１の溝３４７にホルダ３３１の突出部３３５が嵌め込まれると、ＬＥＤモジュール３４１がホルダ３３１に当該ホルダ３３１の中心軸方向に沿って保持（装着）される。
【０１２５】
なお、ホルダ３３１とＬＥＤモジュール３４１との嵌め込みは、言うまでもなく、溝３４７の端と突出部３３５の端とを位置合わせした状態で、ＬＥＤモジュール３４１をホルダ３３１に対して相対的にスライドさせることにより行われる。
【０１２６】
突出部３３５及び溝３４７の横断面における幅が、ＬＥＤモジュール３４１からホルダ３３１側に移るに従って狭くなっているので、ＬＥＤモジュール３４１がホルダ３３１から外れるのを防止できる。
（ｃ）例３
上記例１及び例２では、ＬＥＤモジュール３１１，３４１とホルダ３０１，３３１とが互いに嵌合する（上位概念的には「係合する」である。）構造により、ＬＥＤモジュール３１１，３４１がホルダ３０１，３３１により保持されていたが、嵌合構造以外の構造によりＬＥＤモジュールがホルダに保持されても良く、例えば、図１４の（ｃ）に示すように、長手方向に延伸する軸により軸支された押さえ板によりＬＥＤモジュールを押さえて保持する構造としても良い。
【０１２７】
本変形例１の例３に係るホルダ３５１は、横断面形状が「Ｕ」字状してガラス管の軸心に沿って延伸するベース３５３と、ベース３５３の横断面における両端に装着され且つベース３５３の中心軸と平行な一対（２本）の軸３５５，３５５を支持する軸支持部（図示省略）と、軸３５５，３５５により軸支され且つ当該軸３５５，３５５の周りに回動自在な押さえ板３５７，３５７とを備える。
【０１２８】
押さえ板３５７，３５７の裏面は、第１の実施の形態のように、ＬＥＤモジュール３６１の端子部３６３，３６３と接続（接触）する導電路３５９ａ，３５９ｂが形成されている。
（３）材質
上記実施の形態での説明ではアルミニウムを利用したが、他の材料も利用することができる。他の材料としては、例えば、セラミック材料、エポキシやシリコーン等の樹脂材料等があるが、ＬＥＤで発生した熱を効率良く、ガラス管や接着剤に伝えるという観点からは、伝熱性の高い材料を用いるのが好ましく、例えば、紙フェノール等も利用できるし、また、ＬＥＤモジュールの基板と同じ材料も当然利用できる。また、アルミ基板や銅基板等の伝熱性の高い金属製基板を用いることで、ＬＥＤへの熱負荷をさらに低減できる。
【０１２９】
一方、軽量化の観点からは、樹脂材料等の材料を用いるのが好ましい。なお、後述するが、ＬＥＤモジュールを、ホルダの端部（及びガラス管の端部）から挿抜自在に保持できれば、例えば、ガラス材料（ガラス管であり、第３の実施の形態等参照）を利用することもできる。
【０１３０】
以下、ガラス管をホルダとして用いたＬＥＤランプの例を変形例２として説明する。
図１５は、ガラス管を用いた変形例２に係るホルダの装着方法を説明する図である。
ここで示す変形例２では、ガラス管を用いたホルダが接着剤を利用して最外周に配されているガラス管に固着されている。なお、このガラス管（以下の説明では「内管」である。）は、ホルダとして用いられており、グローブとしてのガラス管ではなく、外管３が本発明のホルダに相当する。
（ａ）例１
変形例２の例１に係るＬＥＤランプ４０１は、同図の（ａ）に示すように、ガラス製の外管３、ホルダ機能を有するガラス製の内管４０３、ＬＥＤモジュール４０５等を備える。外管３は、その一部が内管４０３に接する状態で内管４０３に接着剤４１３により固着されている。
【０１３１】
ＬＥＤモジュール４０５は、ＬＥＤや封止体により構成された発光部４０９と、平板状の基板４１１とからなる。基板４１１は、その幅が内管４０３の内径に対応しており、内管４０３内に挿入・嵌合することで内管４０３に保持されている。なお、発光部４０９の存する領域は、光出射領域でもある。
（ｂ）例２
変形例２の例２に係るＬＥＤランプ４２１は、同図の（ｂ）に示すように、ガラス製の外管３、内管４２３、ＬＥＤモジュール４２５等を備える。ＬＥＤモジュール４２５は、三角柱（中実・中空の両方を含む概念であり、ここでは中実である。）状のモジュール本体４２７と、モジュール本体４２７の２側面に設けられた発光部４２９，４２９とからなる。なお、発光部４２９の存する領域は、光出射領域でもある。
【０１３２】
外管３は、その一部が内管４２３に接する状態で内管４２３に接着剤４３１により固着されている。ＬＥＤモジュール４２５は、モジュール本体４２７における発光部４２９を有しない側面が内管４２３と外管３との接触部分と対向する状態で内管４２３に保持されている。
（ｃ）例３
変形例２の例３に係るＬＥＤランプ４４１は、同図の（ｃ）に示すように、外管３、内管４４３、ＬＥＤモジュール４４５等を備える。
【０１３３】
ＬＥＤモジュール４４５は、箱状もしくは平板状をしたモジュール本体４４７と、モジュール本体４４７の表面に設けられた発光部４４９とからなる。内管４４３は、横断面形状が六角形をした筒状をしている。
【０１３４】
外管３は、その一部が内管４４３の一側面（ここでは、左右両側面である。）の両端縁と接する状態で内管４４３に接着剤４５１により固着されている。なお、発光部４４９の存する領域は、光出射領域でもある。
【０１３５】
モジュール本体４４７は、その幅が内管４４３の対向する内面間に対応しており、内管４４３内に挿入・嵌合することで保持されている。ＬＥＤモジュール４４５は、モジュール本体４４７の裏面（発光部４４９の裏側に位置する面である。）が内管４４３と外管３との接触部分と対向する状態で内管４４３に保持されている。
４．グローブ
上記の各実施の形態や各変形例では、グローブであるガラス管は、その内部にホルダを挿通させた状態（ホルダの全てがガラス管内に挿入された状態である。）でホルダに装着されていた（ホルダ側を主体にすると、ホルダがガラス管内に装着されている。）が、グローブは、ホルダにより保持されているＬＥＤモジュールを覆う状態でホルダに装着されれば良く、ホルダ全体を内部に挿通させなくても良い。
【０１３６】
ホルダをグローブ内に挿通させないでグローブに装着する変形例３について説明する。
（１）構造
図１６は、変形例３に係るＬＥＤランプの断面斜視図であり、図１７は、ＬＥＤランプの中央部の横断面図である。
【０１３７】
変形例３の例１に係るＬＥＤランプ５０１は、第１の実施の形態と同様に、長尺状のグローブ５０２としてガラス部材５０３と、前記ガラス部材５０３の内部に一部が配されているホルダ５０５と、前記ホルダ５０５に保持された複数（図１６では１つしか現れていない。）のＬＥＤモジュール７及びスペーサ４５と、前記ガラス部材５０３の両端に装着された口金５０６（図示を省略するが、図１参照）と、前記口金５０６を介して給電を受けて前記ＬＥＤモジュール７を発光（点灯）させる点灯回路１３（図示を省略するが、図５及び図７参照）とを備える。
【０１３８】
ここで、第１の実施の形態で説明した部材の符号と、同じ符号の部材は、第１の実施の形態で説明した部材と同じ構成を有しており、ここでの説明は省略する。
ガラス部材５０３は、横断面形状が、図１６及び図１７から分かるように、Ｃ字型をし、その開口縁部５０３ａ，５０３ｂがホルダ５０５に装着されている。ここでの開口縁部５０３ａ，５０３ｂは、ガラス部材５０３の長手方向に亘って延伸する部分であって、横断面においてＣ字型を構成する開口５０７の両側部分である。なお、ここでは、グローブ５０２にガラス部材（ガラス材料）５０３を用いたが、他の透光性材料、例えば、ポリカーボネート（ＰＣ）樹脂により構成しても良い。
【０１３９】
ホルダ５０５は、同図に示すように、横断面形状がＣ字型、より具体的には、横断面形状が長方形の環状をし、一方の長辺に溝（開口）１５が形成されたＣ字型のレール部材により構成されている。ホルダ５０５の内部には、ＬＥＤモジュール７やスペーサ４５が挿抜自在に挿入されるための空間を有している。
【０１４０】
ホルダ５０５は、レール部材の側壁５０９，５０９（横断面において長方形の短辺に相当する壁）にガラス部材５０３を装着するための装着溝５１１．５１１が形成されている点で、第１の実施の形態のホルダ５と異なり、他の構成はホルダ５と基本的に同じである。
【０１４１】
つまり、ガラス部材５０３の開口縁部５０３ａ，５０３ｂがホルダ５０５の側壁５０９，５０９の装着溝５１１，５１１に嵌ることで、ガラス部材５０３がホルダ５０５に装着されている。
【０１４２】
ガラス部材５０３とホルダ５０５との装着方法は、例えば、ガラス部材５０３の長手方向の一端側の開口縁部５０３ａ，５０３ｂと、ホルダ５０５の長手方向の他端側の装着溝５１１，５１１とを位置合わせし、この状態で、ガラス部材５０３とホルダ５０５の少なくとも一方を、相手側に押し込む（スライドさせる）ことにより行うことができる。
【０１４３】
なお、例えば、横断面においてグローブ５０２の開口５０７の幅を弾性変形によりホルダ５０５の幅よりも大きくできる樹脂材料によりグローブ５０２を構成した場合、グローブ５０２の開口５０７の幅を広げた状態で、ホルダ５０５を開口５０７に嵌め込むことによっても、両者を装着することができる。
【０１４４】
口金５０６は、有底筒状の口金本体と、口金本体の底部の外面から外方へと延出する一対の口金ピンとを備え、口金本体の外周面にネジが形成されている（第１の実施の形態を参照）。なお、口金ピンは口金本体の底部の内面に取着された固定具６６を介して、口金本体に装着されている。
【０１４５】
ホルダ５０５の両端には、第１の実施の形態と同様に、押さえ部材４７，４９が嵌合されており、当該押さえ部材４７，４９から導出されたリード線５９，６１と口金５０６，５０６とが接続されている。
【０１４６】
ガラス部材５０３の両端には、有底筒状のアダプタ５１５が接着剤（図示省略）により固着されている。アダプタ５１５は、ガラス部材５０３の端部及び押さえ部材４７，４９を覆うように、ガラス部材５０３の外周に装着されている。このため、アダプタ５１５の底部には、ガラス部材５０３、押さえ部材４７，４９におけるガラス部材５０３の開口５０７から張り出した部分に対応した孔が形成されている。なお、ガラス部材５０３の端部にアダプタ５１５が装着された状態でも、ＬＥＤモジュール７やスペーサ４５を挿入・抜出することはできる。
【０１４７】
アダプタ５１５の筒部の内周には、口金５０６の口金本体の外周面に形成されているネジに螺合するネジが形成されており、当該アダプタ５１５に口金５０６が着脱自在に螺着されている。
（２）グローブ形状
変形例３の例１に係るＬＥＤランプ５０１は、ランプの形状として直管型の蛍光ランプに近い形状を想定しているため、ガラス部材５０３の一部（開口５０７部分の周辺部分）が平坦状となっている。
【０１４８】
しかしながら、直管型蛍光ランプの代替品であっても、グローブ形状を直管型蛍光ランプと同じような形状にする必要はなく、他の形状であっても良い。
以下、変形例３の例１と異なるグローブの形状について説明する。なお、グローブは、その形状に関わらず、ガラス材料、樹脂材料、セラミック材料等、特に材料に依拠することなく形成できるが、弾性変形により、グローブの開口の幅をホルダの幅よりも大きくすることができるようにするには、樹脂材料、金属（薄肉）と透光性樹脂を組合せたもの等に限られる。
【０１４９】
図１８は、グローブの形状についての変形例を示す図である。
同図の（ａ）に示すＬＥＤランプ５３１は、グローブ５３３、ホルダ５３５、ＬＥＤモジュール７、口金、点灯回路を有する他、必要に応じて、スペーサ、押さえ部材、アダプタを有する。
【０１５０】
グローブ５３３は、同図の（ａ）に示すように、横断面形状が長方形状をし、１つの長辺に相当する壁５３７に開口５３９を有したＣ字型をしている。グローブ５３３は、横断面において、開口５３９の両側に位置する開口縁部５４２ａ，５４２ｂがホルダ５３５の側壁に形成されている装着溝５４６，５４６に嵌ることで、ホルダ５３５に装着されている。
【０１５１】
同図の（ｂ）に示すＬＥＤランプ５５１は、グローブ５５３、ホルダ５５５、ＬＥＤモジュール７、口金、点灯回路を有する他、必要に応じて、スペーサ、押さえ部材、アダプタを有する。
【０１５２】
グローブ５５３は、同図の（ｂ）に示すように、横断面形状が長円の半分の形状（横断面における長軸に直交する仮想線（ここでは、左右に延伸する線である。）で切断したような形状）をしている。換言するとＵ字状をしている。Ｕ字状を構成している開口側の端部（一対の平行線の端部であって円弧で連結されている側と反対側の端部である。）５５８ａ，５５８ｂが、ホルダ５５５の上壁５６１に形成されている装着溝５６４，５６４に挿入されている。
【０１５３】
ホルダ５５５の装着溝５６４，５６４は、横断面において、入り口の寸法（図では上側になる。）よりも奥側（図では下側になる）の寸法の方が大きい、所謂、あり溝状をしている。一方、グローブ５５３の開口側の端部５５８ａ，５５８ｂは、円形に膨出しており、装着溝５６４，５６４の入り口よりも大きい寸法・形状をしている。
【０１５４】
このため、グローブ５５３の開口側の端部５５８ａ，５５８ｂが装着溝５６４，５６４の入り口側からの内部に挿入することは許容されず、グローブ５５３が下側に位置するような姿勢になっても、ホルダ５５５からグローブ５５３が落下するようなことはない。
【０１５５】
同図の（ａ）〜（ｂ）に示したグローブのホルダへの装着方法の一例として、例えば、グローブの長手方向の一端側の開口縁部や開口側の端部と、ホルダの長手方向の他端側の装着溝とを位置合わせし、この状態で、グローブとホルダの少なくとも一方を、相手側に押し込む（スライドさせる）ことにより行うことができる。
【０１５６】
同図の（ｃ）に示すＬＥＤランプ５７１は、グローブ５７３、ホルダ５７５、ＬＥＤモジュール７、口金、点灯回路を有する他、必要に応じて、スペーサ、押さえ部材、アダプタを有する。
【０１５７】
グローブ５７３は、横断面形状が逆台形状をし、ＬＥＤモジュール７と対向していない下底に相当する下壁５７７の中央部分が開口したＣ字型をしている。グローブ５７３は、横断面において、開口５７９の両側に位置する部分が内側（内方）へと屈曲しており、開口縁部５８２ａ，５８２ｂが内側へと延伸する。
【０１５８】
ホルダ５７５は、下壁（グローブ５７３の開口５７９が形成されている壁と対向する裏側の壁である。）５８５に外方（下側でもあり、グローブ５７３の開口５７９のある方向である。）に突出する装着突部５８７を有する。なお、横断面において、ホルダ５７５の装着突部５８７の幅はグローブ５７３の開口５７９幅よりも少し大きい。
【０１５９】
グローブ５７３のホルダ５７５への装着は、グローブ５７３の開口５７９にホルダ５７５の装着突部５８７を嵌ることで行える他、上記で説明したように、グローブ５７３の長手方向の一端側の開口縁部５８２ａ，５８２ｂと、ホルダ５７５の長手方向の他端側の装着突部５８７とを位置合わせし、この状態で、グローブ５７３とホルダ５７５の少なくとも一方を、相手側に押し込む（スライドさせる）ことでも行える。
【０１６０】
なお、グローブ５７３は、開口５７９の幅がホルダ５７５の装着突部５８７の幅にまで弾性変形可能な材料、例えば、樹脂材料等により構成されている。
５．接着剤
上記各実施の形態では、接着剤９としてセメントを利用したが、他の接着剤を利用しても良く、例えばシリコーン樹脂を用いても良い。しかしながら、接着剤の機能としての伝熱性を考慮すると、伝熱性の高い材料を用いるのが好ましく、具体的には、熱伝導率が１［Ｗ／ｍ・Ｋ］以上が好ましい。
【０１６１】
なお、接着剤の伝熱性を高めるために、接着剤に無機粒子が混入されていても良い。このような無機粒子としては、銀、銅、アルミニウム等の金属粒子、アルミナ、窒化アルミニウム、炭化珪素、グラファイト等の非金属粒子がある。
【０１６２】
また、軽量化を考慮すると、比重の低い材料を用いるのが好ましく、具体的には、比重が２［Ｋｇ／ｍ３］以下が好ましく、このような材料にシリコーン樹脂等がある。
６．封止体（透光性樹脂）
上記各実施の形態では、封止体３７，１１９を構成する透光性樹脂としてシリコーン樹脂を利用したが、別の材料を利用しても良い。別の材料としては、ガラス等がある。
【０１６３】
また、各実施の形態では、透光性樹脂に混入されている蛍光体粉末として、(Ｂａ,Ｓｒ)2ＳｉＯ4:Ｅｕ2+やＹ3(Ａｌ,Ｇａ)5Ｏ12:Ｃｅ3＋の黄緑色蛍光体粉末と、Ｓｒ2Ｓｉ5Ｎ8:Ｅｕ2+や（Ｃａ,Ｓｒ）Ｓ:Ｅｕ2+などの赤色蛍光体粉末とを用いたが、他の蛍光体粉末を利用することもできる。
【０１６４】
なお、例えば、青色発光のＬＥＤを利用する場合、黄色蛍光体粉末と緑色蛍光体粉末との混合、赤色蛍光体粉末と緑色蛍光体粉末との混合の透光性樹脂であっても良い。
７．ランプ
各実施の形態や上記変形例等では、直管状の蛍光灯をモデルにしたＬＥＤランプであったが、例えば、円環状の蛍光灯をモデルにしても良い。以下、円環状の蛍光灯をモデルにしたＬＥＤランプを変形例４として説明する。
（１）例１
図１９は、変形例４の例１に係るＬＥＤランプの半分での断面斜視図であり、図２０は、変形例４の例１に係るＬＥＤランプの一部平面図であり、内部の様子が分かるように各部材を適宜切り欠いている。
【０１６５】
変形例４の例１に係るＬＥＤランプ６０１は、グローブ６０３、ホルダ６０５、ＬＥＤモジュール６０７、スペーサ６０９、口金、点灯回路を有する他、後述の連結部材６１１、カバー６１３等を有する。
【０１６６】
グローブ６０３は、例えば、２つの半円環状（ここでの半円環状とは、平面視において半円状をしたものを指し、横断面において、例えば上下半分に分かれたものではない。）のガラス管６０３Ａ，６０３Ｂを連結させてなる。なお、連結方法については後述する。
【０１６７】
ホルダ６０５は、グローブ６０３の内部に挿入された状態で、グローブ６０３に固着されている。ホルダ６０５は、横断面形状がＣ字型のレール部材であり、半円環状のガラス管６０３Ａ，６０３Ｂの曲率に合わせた円弧状をし、２つのレール部材６０５Ａ，６０５Ｂからなり、連結部材６１１により連結されている。
【０１６８】
つまり、ホルダ６０５は、円環状のガラス管６０３Ａ，６０３Ｂに挿入されるため、平面視において、具体的には図２０において、ガラス管６０３Ａ，６０３Ｂの中心軸と平行に延伸する２本の円弧状の辺からなる帯状をしている。なお、ホルダ６０５の平面視形状以外の構成は、第１の実施の形態で説明したホルダ５と同じ構成であり、横断面形状は、図２と同じになる。
【０１６９】
半円環状のガラス管６０３Ａ，６０３Ｂの中心軸の曲率は互いに等しく、レール部材６０５Ａ，６０５Ｂの中心軸の曲率も互いに等しい。本例では、レール部材６０５Ａ，６０５Ｂの中心軸の曲率と、ガラス管６０３Ａ，６０３Ｂの曲率とは一致し、ガラス管６０３Ａ，６０３Ｂを連結したときのグローブ６０３の中心軸が含まれる仮想平面と直交する方向からガラス管６０３Ａ，６０３Ｂを見たとき（つまり、図２０である。）、グローブ６０３の中心軸とホルダ６０５の中心軸とが重なるように、ガラス管６０３Ａ，６０３Ｂとレール部材６０５Ａ，６０５Ｂとが位置合わせされた状態で装着（結合）されている。
【０１７０】
ＬＥＤモジュール６０７及びスペーサ６０９は、ホルダ６０５の端部から内部へと挿入されるため、レール部材６０５Ａ，６０５Ｂ内の空間に対応した、円弧状に湾曲する帯状をしている。なお、ＬＥＤモジュール６０７及びスペーサ６０９は、平面視形状以外は、第１の実施の形態で説明したＬＥＤモジュール７とスペーサ４５と同じ構成である。
【０１７１】
連結部材６１１は、レール部材６０５Ａとレール部材６０５Ｂとが連結されている側の端部の両方に跨る状態で、各レール部材６０５Ａ，６０５Ｂの内部へと挿入されている。なお、連結部材６１１の下面における長手方向の略中心には、外方（下方）へ張り出す張り出し部が形成されており、連結部材６１１がレール部材６０５Ａ，６０５Ｂの一方にだけ挿入するのを防止している。
【０１７２】
連結部材６１１は、レール部材６０５Ａ，６０５Ｂの突合せ部分を連結するため、レール部材６０５Ａ，６０５Ｂと同等の剛性を有する。具体的には、金属プレートが内部にインサート成形された樹脂材料から構成されている。
【０１７３】
なお、連結部材６１１も、ホルダ６０５内に挿入されているＬＥＤモジュール６０７やスペーサ６０９と電気的に接続されるため、スペーサ６０９と同様の配線パターンが設けられている。
【０１７４】
カバー６１３は、ガラス管６０３Ａ，６０３Ｂの連結部分を隠すためのものであり、また、連結部分周辺に存するＬＥＤモジュール６０７からの光を遮光しないように、透光性の材料、例えば、樹脂材料から構成されている。
【０１７５】
カバー６１３は、ガラス管６０３Ａ，６０３Ｂの連結部分の半分、例えば、横断面において下半分に位置する下カバー部材６１３Ａと上半分に位置する上カバー部材６１３Ｂとからなる。なお、下カバー部材６１３Ａと上カバー部材６１３Ｂとの結合は、例えば、係止構造、接着構造、ネジ構造等を利用することができる。
【０１７６】
口金が装着される部分は、グローブ６０３においてはガラス管６０３Ａ，６０３Ｂ間に隙間があり、ホルダ６０５においてはレール部材６０５Ａ，６０５Ｂ間に隙間があり、この隙間から、ＬＥＤモジュール７やスペーサ６０９を各レール部材６０５Ａ，６０５Ｂに挿入・抜出することができる。
【０１７７】
なお、レール部材６０５Ａ，６０５Ｂ及びガラス管６０３Ａ，６０３Ｂは、直接的・間接的に連結部材６１１によって支持されているが、連結部材６１１だけでは、ランプとしての機械的特性が不足するような場合、口金を装着する部分で、レール部材６０５Ａ，６０５Ｂ同士及びガラス管６０３Ａ，６０３Ｂ同士を連結支持するような構成、例えば、プレートを装着する等の構成を採用しても良い。
【０１７８】
ＬＥＤランプ６０１としての組み立ての一例を説明する。言うまでもなく、他の順序・方法で組み立てても良い。
まず、ガラス管６０３Ａ，６０３Ｂのそれぞれにレール部材６０５Ａ，６０５Ｂを挿入して、レール部材６０５Ａ，６０５Ｂとガラス管６０３Ａ，６０３Ｂとを接着剤で固着する。次に、ガラス管６０３Ａ，６０３Ｂ内のレール部材６０５Ａ，６０５Ｂ内にＬＥＤモジュール６０７及びスペーサ６０９をレール部材６０５Ａ，６０５Ｂの端から挿入した後、連結部材６１１をレール部材６０５Ａ，６０５Ｂの連結する側の端部に挿入にして両者を結合する。
【０１７９】
なお、レール部材６０５Ａ，６０５Ｂにおける連結部材６１１が挿入される部分と、連結部材６１１におけるレール部材６０５Ａ，６０５Ｂに挿入する部分との大きさは、連結部材６１１の方が大きく、連結部材６１１をレール部材６０５Ａ，６０５Ｂに押入することで、レール部材６０５Ａ，６０５Ｂを連結できる。なお、連結部材６１１とレール部材６０５Ａ，６０５Ｂとを接着剤で固着しても良いし、ネジ等で固定しても良い。
【０１８０】
そして、連結部分へのカバー６１３の装着、口金の装着を行う。なお、口金の装着は、カバーの装着前でも良いし、装着後でも良い。また、口金の装着方法は、円環状の蛍光灯の口金の装着技術を利用することで実施できる。
【０１８１】
なお、グローブ６０３となるガラス管６０３Ａ，６０３Ｂ及びホルダ６０５となるレール部材６０５Ａ，６０５Ｂはそれぞれ２個用いたが、３個以上でも良いし、ガラス管、レール部材の個数は一致しなくても良い。さらには、ガラス管及びレール部材は、それぞれ同じ大きさのものを利用したが、大きさが異なる部材を利用しても良い。つまり、複数の円弧状をしたガラス管やレール部材を連結して全体として、口金の装着部分を除いて円環状となる構成とすれば良く、その個数や大きさを特に限定するものではない。
【０１８２】
さらに、円環状の蛍光灯をモデルにする場合、ホルダの表面がガラス管の形状である環状の径方向と直交或いは所定の角度で傾斜するようにして外方に向くようにしても良い。
（２）例２
例１に係るＬＥＤランプ６０１のグローブ（ガラス管）６０３は、円環状の蛍光灯のガラス管の横断面形状と同じ円形状をしていたが、他の形状であっても良い。ここでは、半球状をしたグローブを備えるＬＥＤランプ６５１について説明する。
【０１８３】
図２１は、変形例４の例２に係るＬＥＤランプの断面斜視図である。
変形例４の例２に係るＬＥＤランプ６５１は、グローブ６５３、ホルダ６５５、ＬＥＤモジュール６５７、口金、点灯回路を有する。なお、本例では、グローブは、ホルダに被着する構成を採用しているため、ＬＥＤランプ６０１で説明した連結部材６１１、カバー６１３を有していない。
【０１８４】
グローブ６５３は、同図に示すように、口金が装着される部分を除いて円環状をすると共に横断面形状が半円状に近いＣ字状をしている。なお、グローブ６５３は、例えば、透光性材料であって、弾性変形で開口幅がホルダ６３３の幅まで大きくなるような材料、具体的には樹脂材料により構成されている。
【０１８５】
ホルダ６５５は、グローブ６５３と同様に、口金が装着される部分を除いて円環状をすると共に横断面形状がＣ字型をしている。具体的には、ホルダ６５５の平面視形状は、ＬＥＤランプ５０１のホルダ５０５を円環状になるように湾曲させたような形状をし、横断面形状は、ホルダ５０５と同様の形状をしている。ホルダ６５５は、図２１に示すように、側壁に、グローブ装着用の装着溝６６０，６６０を有している。
【０１８６】
なお、ホルダ６５５は、ＬＥＤランプ５０１のホルダ５０５と異なり、ＬＥＤモジュール６５７と電気的に接続する導電路は設けられていない。
ホルダ６５５の内部には、複数のＬＥＤモジュール６５７が挿抜自在に挿入されている。
【０１８７】
図２２は、ＬＥＤモジュールの斜視図である。
ＬＥＤモジュール６５７は、後述するが、３種類ある。ＬＥＤモジュール６５７Ａ，６５７Ｂ，６５７Ｃは、図２２に示すように、２段状の円盤状をしている。つまり、径の大きな大径円盤部６６３と、大径円盤部６６３よりも径の小さな小径円盤部６６５とを有する。
【０１８８】
大径円盤部６６３は、例えば、複数の絶縁基板６６７，６６９，６７１からなり、最上層に位置する第１絶縁基板６６７の表面（上面）にＬＥＤが実装されている。なお、中間層に位置する絶縁基板６６９を第２絶縁基板６６９とし、最下層に位置する絶縁基板６７１を第３絶縁基板６７１とする。
【０１８９】
小径円盤部６６５は、発光部であり、第１絶縁基板６６７上のＬＥＤを封止する封止樹脂であり、必要に応じて蛍光体が混入されている。
ＬＥＤモジュール６５７Ａ，６５７Ｂ，６５７Ｃの大径円盤部６６３の外周には、図２２に示すように、全周に亘って連続する配線パターンが２段に形成されている。
【０１９０】
ＬＥＤモジュール６５７Ａは、第１絶縁基板６６７と第３絶縁基板６７１の外周に配線パターンが形成され、第１絶縁基板６６７の外周の配線パターンと、第１絶縁基板６６７に実装されたＬＥＤと、第３絶縁基板６７１の外周の配線パターンとが直列に接続されるように、各絶縁基板６６７，６６９，６７１内にビア等が形成されている（図示省略）。なお、配線パターンが形成される箇所にはハッチングを施している。
【０１９１】
ＬＥＤモジュール６５７Ｂは、第３絶縁基板６７１と第２絶縁基板６６９の外周に配線パターンが形成され、第３絶縁基板６７１の外周の配線パターンと、第１絶縁基板６６７に実装されたＬＥＤと、第２絶縁基板６６９の外周の配線パターンとが直列に接続されるように、各絶縁基板６６７，６６９，６７１内にビア等が形成されている（図示省略）。なお、配線パターンが形成される箇所にはハッチングを施している。
【０１９２】
ＬＥＤモジュール６５７Ｃは、第２絶縁基板６６９と第１絶縁基板６６７の外周に配線パターンが形成され、第２絶縁基板６６９の外周の配線パターンと、第１絶縁基板６６７に実装されたＬＥＤと、第１絶縁基板６６７の外周の配線パターンとが直列に接続されるように、各絶縁基板６６７，６６９，６７１内にビア等が形成されている（図示省略）。なお、配線パターンが形成される箇所にはハッチングを施している。
【０１９３】
ＬＥＤモジュール６５７Ａ，６５７Ｂ，６５７Ｃは、図２３に示すように、下流側（図中の左側である）から、この順（６５７Ａ，６５７Ｂ，６５７Ｃ）で並んでおり、それぞれのＬＥＤモジュール６５７が隣接する他のＬＥＤモジュール６５７と接触し、外周面の配線パターンが隣接する他のＬＥＤモジュールの外周にある対応する配線パターンに電気的に接続する。
【０１９４】
次に、ＬＥＤモジュール６５７の電気的接続を説明する。
図２３は、ＬＥＤモジュールの電気的接続を説明する概略図である。
同図に示す「１」は第１絶縁基板６６７の外周に形成された配線パターン（図２２では、右上がりのハッチングである。）を示し、「２」は第２絶縁基板６６９の外周に形成された配線パターン（図２２では、右上がりと左上がりとの交差状のハッチングである。）を示し、「３」は第３絶縁基板６７１の外周に形成された配線パターン（左上がりのハッチングである。）を示している。
【０１９５】
図２３に示すように、ＬＥＤモジュール６５７Ａの第３絶縁基板６７１の「３」で示す配線パターンは、当該モジュール６５７Ａの上流側に隣接するＬＥＤモジュール６５７Ｂの第３絶縁基板６７１の「３」で示す配線パターンと接続する。ＬＥＤモジュール６５７Ｂの第３絶縁基板６７１の「３」で示す配線パターンはＬＥＤを介して第２絶縁基板６６９の「２」で示す配線パターンに直列に接続される。
【０１９６】
ＬＥＤモジュール６５７Ｂの第２絶縁基板６６９の「２」で示す配線パターンは、当該モジュール６５７Ｂの上流側に隣接するＬＥＤモジュール６５７Ｃの第２絶縁基板６６９の「２」で示す配線パターンと接続する。ＬＥＤモジュール６５７Ｃの第２絶縁基板６６９の「２」で示す配線パターンはＬＥＤを介して第１絶縁基板６６７の「１」で示す配線パターンに直列に接続される。
【０１９７】
ＬＥＤモジュール６５７Ｃの第１絶縁基板６６７の「１」で示す配線パターンは、当該モジュール６５７Ｃの上流側に隣接するＬＥＤモジュール６５７Ａの第１絶縁基板６６７の「１」で示す配線パターンと接続する。ＬＥＤモジュール６５７Ａの第１絶縁基板６６７の「１」で示す配線パターンはＬＥＤを介して第３絶縁基板６７１の「３」で示す配線パターンに直列に接続される。
【０１９８】
このようにして、複数のＬＥＤモジュール６５７Ａ，６５７Ｂ，６５７Ｃが直列に接続されることになる。
８．最後に
上記で説明したＬＥＤランプ（例えば、第１の実施の形態に係るＬＥＤランプ１である。）を光源とした照明装置を図２４に示す。
【０１９９】
照明装置７０１は、ＬＥＤランプ１と照明器具７０３とを備え、ここでの照明器具７０３は、所謂、一般照明用の器具である。
照明器具７０３は、ＬＥＤランプ１と電気的に接続され且つＬＥＤランプ１を保持する一対のソケット７０５，７０５と、前記ソケット７０５，７０５が取着されている器具本体７０７と、前記器具本体７０７の上面に装着された回路ボックス７０９とを備える。
【０２００】
器具本体７０７は、その横断面形状が逆Ｕ型をした長尺状をしている。なお、器具本体７０７の内面７０７ａは、ＬＥＤランプ１から発せられた光を所定方向（例えば、下方である。）に反射させる反射面となっている。
【０２０１】
回路ボックス７０９は、その内部に、図外のスイッチがオン状態ではＬＥＤランプ１に給電し、オフ状態では給電しない点灯回路を収納する。照明器具７０３は、天井７１１に固定具７１３，７１３を介して装着されている。
【０２０２】
また、図２５は、ＬＥＤを光源とした照明装置を示す。
照明装置７３１は、独立可搬な複数のＬＥＤモジュール６５７と、長尺構造で、各ＬＥＤモジュール６５７を少なくとも一端から挿抜自在であって長尺方向に配列する状態で保持すると共に保持状態にある各ＬＥＤモジュール６５７の光出射方向前方には遮光部材が存在しない構造のホルダ７３３と、各ＬＥＤモジュールを覆うように前記ホルダに装着されたグローブ７３５と、ホルダ７３３の裏面側で、天井等に装着されるベース７３７と、各ＬＥＤモジュール６５７を点灯させ且つグローブ７３５とベース７３７とで形成される空間であってベース７３７に装着された点灯回路と、点灯回路を内部に格納するように点灯回路を覆う回路ボックス７３９と、商業用電源と接続されるソケットとを備える。
【０２０３】
ホルダ７３３は、変形例４の例２に示すホルダ６５５と同様の構成を有し、グローブ形状が変形例４の例２に示すグローブ６５３と異なるため、グローブ７３５を装着するための装着溝７４１が、ホルダ７３３の外周面にのみ存する。グローブ７３５は、同図に示すように、ドーム状をしている。
【０２０４】
なお、本発明に係る照明装置は、上記一般照明用に限定するものでないのは言うまでもない。例えば、図１６等に示す変形例３に係るＬＥＤランプの口金をソケットとし、商業用電源を利用してＬＥＤモジュールを点灯させる点灯回路を設ければ、直管状の照明装置として利用することができる。
【産業上の利用可能性】
【０２０５】
本発明は、照明用のランプとして利用可能である。
【符号の説明】
【０２０６】
１    ＬＥＤランプ
３    ガラス管
５    ホルダ
７    ＬＥＤモジュール
９    接着剤
１１    口金
１３    点灯回路
１５    溝
１７    レール部材
３５    ＬＥＤ
３７    封止体
４１ａ，４１ｂ    端子部（受電端子）
【図１】
0005406243.tif 000002
【図２】
0005406243.tif 000003
【図３】
0005406243.tif 000004
【図４】
0005406243.tif 000005
【図５】
0005406243.tif 000006
【図６】
0005406243.tif 000007
【図７】
0005406243.tif 000008
【図８】
0005406243.tif 000009
【図９】
0005406243.tif 000010
【図１０】
0005406243.tif 000011
【図１１】
0005406243.tif 000012
【図１２】
0005406243.tif 000013
【図１３】
0005406243.tif 000014
【図１４】
0005406243.tif 000015
【図１５】
0005406243.tif 000016
【図１６】
0005406243.tif 000017
【図１７】
0005406243.tif 000018
【図１８】
0005406243.tif 000019
【図１９】
0005406243.tif 000020
【図２０】
0005406243.tif 000021
【図２１】
0005406243.tif 000022
【図２２】
0005406243.tif 000023
【図２３】
0005406243.tif 000024
【図２４】
0005406243.tif 000025
【図２５】
0005406243.tif 000026